(57)【要約】【課題】画像が形成された複数の媒体を順次読み取って画像処理する際に、画像の種類に応じた画像処理を好適に行う画像処理装置及び画像処理方法を提供すること。【解決手段】媒体の第１の表面に形成された第１の画像を読み取る第１の読取手段と、前記媒体の第２の表面に形成された第２の画像を読み取る第２の読取手段と、前記第２の画像に含まれる前記第１の画像に対する画像処理に係る情報を取得する情報取得手段と、前記画像処理に係る情報に基づいて、前記第１の画像データに対する画像処理を行う画像処理手段と、を有する画像処理装置１。【選択図】        図１
2009278233.tif 000002
【特許請求の範囲】
【請求項１】
媒体の第１の表面に形成された第１の画像を読み取る第１の読取手段と、
前記媒体の第２の表面に形成された第２の画像を読み取る第２の読取手段と、
前記第２の画像に含まれる前記第１の画像に対する画像処理に係る情報を取得する情報取得手段と、
前記画像処理に係る情報に基づいて、前記第１の画像データに対する画像処理を行う画像処理手段と、
を有する画像処理装置。
【請求項２】
前記第１の読取手段と前記第２の読取手段に対し、複数の媒体を連続して搬送する搬送手段を有する請求項１記載の画像処理装置。
【請求項３】
前記画像処理手段は、前記媒体毎に、該媒体の第２の表面に形成された第２の画像を読み取って取得された画像処理に係る情報に基づいて、当該媒体の第１の表面に形成された第１の画像を読み取って得られた画像データに対する画像処理を行う請求項２記載の画像処理装置。
【請求項４】
前記複数の媒体の第１の表面に形成された第１の画像に対する画像処理に係る情報の初期値を保持する初期値保持手段を有し、
前記画像処理手段は、前記複数の媒体のうち前記第２の画像を有しない媒体の第１の画像が読み取られた画像データに対する画像処理を、前記初期値保持手段に保持されている初期値に基づいて行う請求項２記載の画像処理装置。
【請求項５】
前記媒体の第２の表面に形成された第２の画像を読み取って取得された画像処理に係る情報を保持する情報保持手段を有し、
前記画像処理手段は、前記複数の媒体のうち前記第２の画像を有しない媒体の第１の画像が読み取られた画像データに対する画像処理を、前記情報保持手段に保持されている画像処理に係る情報に基づいて行う請求項２記載の画像処理装置。
【請求項６】
前記画像処理に係る情報が、該情報に基づく画像処理を行う数の情報を含む場合に、
前記画像処理手段は、連続して前記搬送手段により搬送される複数の媒体のうち、前記画像処理を行う数の情報が取得された媒体から前記画像処理を行う数の媒体の、第１の表面を読み取って取得された画像データに対し、前記画像処理に係る情報に基づく画像処理を行う請求項２記載の画像処理装置。
【請求項７】
前記第２の画像は、前記画像処理に係る情報を含む符号、又は、前記画像処理に係る情報が表された文字若しくは記号である請求項１ないし６何れか一項に記載の画像処理装置。
【請求項８】
前記画像処理に係る情報を含む符号を生成する符号生成手段と、
前記符号の画像を媒体の第２の表面に形成する画像形成手段と、
を有する請求項７記載の画像処理装置。
【請求項９】
媒体の第１の表面に形成された第１の画像を読み取る第１の読取ステップと、
前記媒体の第２の表面に形成された第２の画像を読み取る第２の読取ステップと、
前記第２の画像に含まれる前記第１の画像に対する画像処理に係る情報を取得する情報取得ステップと、
前記画像処理に係る情報に基づいて、前記第１の画像データに対する画像処理を行う画像処理ステップと、
を有する画像処理方法。
【請求項１０】
前記第１の読取ステップと前記第２の読取ステップとは、複数の媒体の表面に形成された画像を連続して読み取る請求項９記載の画像処理方法。
【請求項１１】
前記画像処理ステップは、前記媒体毎に、該媒体の第２の表面に形成された第２の画像を読み取って取得された画像処理に係る情報に基づいて、当該媒体の第１の表面に形成された第１の画像を読み取って得られた画像データに対する画像処理を行う請求項１０記載の画像処理方法。
【発明の詳細な説明】
【技術分野】
【０００１】
本発明は、両面原稿が読み取られたデジタル画像データを処理する画像処理装置及び画像処理方法に関する。
【背景技術】
【０００２】
従来から、読み取られた画像を媒体上に形成して出力する画像形成装置において、画像の種類に基づいて読み取られた画像データに対する処理を行う技術がある。画像の種類には、例えば、文字、印刷写真、印画紙写真、カラー、モノクロ等がある。
【０００３】
原稿が複数の媒体に形成された画像からなる場合には、媒体は、１枚ずつＡＤＦ（Ａｕｔｏ  Ｄｏｃｕｍｅｎｔ  Ｆｅｅｄｅｒ）によって搬送され、読み取られた画像が順に処理されて出力される。このように複数枚の原稿を順次搬送して処理する画像形成装置として、例えば、特許第３２５７１３６号公報（特許文献１）に開示されている画像形成装置がある。特許文献１に記載の画像形成装置は、複数枚の原稿のうち、読み取って処理する媒体と、読み取られた画像データに対する処理の内容と、を指定することにより、複数枚の原稿のうちの一部の原稿に対するコピー等の処理を行う。
【０００４】
また例えば、特開２００７−３０６０８１号公報（特許文献２）には、異なる画質処理と異なる画像編集の組み合わせによる処理結果の画像を表示することにより、読み取り画像に対する処理の選択を容易にする画像読み取り装置等の技術が開示されている。
【０００５】
【特許文献１】特許第３２５７１３６号公報
【特許文献２】特開２００７−３０６０８１号公報
【発明の開示】
【発明が解決しようとする課題】
【０００６】
しかしながら、上記特許文献１及び２に開示の技術では、画像が形成された複数の媒体を順次読み取って画像処理する場合の画像処理の条件設定については、考慮されていない。例えば、原稿を構成する全媒体にわたって一の条件を設定した場合に、媒体毎に形成されている画像の種類が異なるときには、画像の種類毎に対応する画像処理を行うことができない。
【０００７】
そこで、媒体毎に形成されている画像の種類に応じて画像処理の条件設定をするには、異なる画像の種類が形成されている媒体毎に、条件設定の入力等を行わなくてはならず、操作が煩雑になるという不具合があった。
【０００８】
本発明は、上記に鑑みてなされたものであり、画像が形成された複数の媒体を順次読み取って画像処理する際に、画像の種類に応じた画像処理を好適に行う画像処理装置及び画像処理方法を提供することにある。
【課題を解決するための手段】
【０００９】
本発明は、上記問題を解決するために、媒体の第１の表面に形成された第１の画像を読み取る第１の読取手段と、前記媒体の第２の表面に形成された第２の画像を読み取る第２の読取手段と、前記第２の画像に含まれる前記第１の画像に対する画像処理に係る情報を取得する情報取得手段と、前記画像処理に係る情報に基づいて、前記第１の画像データに対する画像処理を行う画像処理手段と、を有する構成とすることができる。
【００１０】
これにより、画像が形成された複数の媒体を順次読み取って画像処理する際に、画像の種類に応じた画像処理を好適に行う画像処理装置を提供することができる。
本発明は、また、上記画像処理装置が実行する画像処理方法でもよい。
【発明の効果】
【００１１】
本発明によれば、画像が形成された複数の媒体を順次読み取って画像処理する際に、画像の種類に応じた画像処理を好適に行う画像処理装置及び画像処理方法を提供することができる。
【発明を実施するための最良の形態】
【００１２】
以下に添付図面を参照して、本発明の実施の形態に係る画像処理装置の最良な実施の形態を詳細に説明する。
【００１３】
本発明の実施の態様としては、例えば、媒体の表と裏とに対応する複数の入力系と一の出力系とを備えたシステムが考えられ、例えば両面読取機能を備えた複写機や両面読取スキャナからＰＣに画像データを取り込むといったシステムが考えられる。
【００１４】
（第一の実施の形態）
以下の実施の形態において「原稿」とは、画像が形成されている媒体をいう。
【００１５】
（本実施形態に係る画像処理装置の機能構成の例）
図１は、本実施形態の画像処理装置の機能構成を説明する図である。図１の画像処理装置１は、搬送手段１０、読取手段２１、読取手段２２、情報取得手段３０、情報保持手段４１、初期値保持手段４２、及び、画像処理手段５０を有する。
【００１６】
搬送手段１０は、画像が形成された媒体を１枚ずつ順に搬送路に取り込み、読取手段２１及び読取手段２２によって画像を読み取らせた後に、搬送路から排出させる。搬送手段１０は、例えば、ＡＤＦ（Ａｕｔｏ  Ｄｏｃｕｍｅｎｔ  Ｆｅｅｄｅｒ）として構成され、複数の媒体を１枚ずつ順に搬送路に取り込んで処理を行う。
【００１７】
読取手段２１及び読取手段２２は、搬送路に設けられ、搬送される媒体に形成されている画像を読み取って画像データを生成する。読取手段２１及び読取手段２２は、それぞれ媒体の互いに異なる表面の画像を読み取って、それぞれの画像の画像データを生成する。読取手段２１によって読み取られる画像は、媒体の表面に形成された画像であり、例えば、文字、印刷写真、印画紙写真等によって構成される。媒体の表面に形成された画像は、カラー画像、モノクロ画像の何れでもよい。
【００１８】
読取手段２２は、媒体の裏面に形成された画像を読み取って画像データを取得する。媒体の裏面に形成された画像は、例えば、バーコード等の形式を有し、媒体の表面に形成された画像を読み取った際に施される画像処理の条件等の情報が含まれている。
【００１９】
情報取得手段３０は、読取手段２２によって読み取られた画像データから、画像処理の条件等の情報を取得する。画像処理の条件等の情報は、バーコード等の符号をデコードすることにより取得される。画像処理の条件等の情報は、また例えば、媒体の裏面に形成された文字又は記号等が読取手段２２によって読み取られ、情報取得手段３０によって、ＯＣＲ（Ｏｐｔｉｃａｌ  Ｃｈａｒａｃｔｅｒ  Ｒｅａｄｅｒ）又はＯＭＲ（Ｏｐｔｉｃａｌ  Ｍａｒｋ  Ｒｅａｄｅｒ）により解析されることにより取得されてもよい。
【００２０】
情報保持手段４１は、情報取得手段３０によって取得された画像処理の条件等の情報を保持する。情報保持手段４１は、例えば、ＲＡＭ（Ｒａｎｄｏｍ  Ａｃｃｅｓｓ  Ｍｅｍｏｒｙ）又はハードディスク装置等である。
【００２１】
初期値保持手段４２は、画像処理の条件等の初期値の情報を保持する。初期値保持手段４２によって保持される情報は、情報取得手段３０によって取得される情報と同一の属性を有する情報を含むとよい。
【００２２】
画像処理手段５０は、読取手段２１によって読み取られた画像の画像データに対し、画像処理を行う。画像処理手段５０が行う画像処理の内容は、所定の条件によって定められる。所定の条件は、初期値保持手段４２によって保持される画像処理の条件、又は、情報取得手段３０によって取得される画像処理の条件である。
【００２３】
情報取得手段３０によって取得される画像処理の条件により画像処理が行われることにより、複数の媒体が連続して読み込まれた場合でも、媒体に形成された画像毎に好適な画像処理を行うことができる。
【００２４】
（本実施形態に係る画像処理装置のブロック図）
図２は、本実施形態に係る画像処理装置のブロック図である。図２の画像処理装置１００は、画像入力部１０１、画像処理部１０２、画像出力部１０３、画像蓄積部１０４、制御部１０５、及び、操作部１０６を有する。
【００２５】
画像入力部１０１は、媒体上に形成された画像を読み取り、読み取られた画像データを画像処理部１０２に送る。画像入力部１０１は、例えば、ディジタルコピー機、ディジタルファクシミリ装置等のスキャナとして構成される。
【００２６】
画像処理部１０２は、画像蓄積部１０４に対し、読み込まれた画像データを格納させ、また格納されている画像データを読み出す処理を行う。画像処理部１０２は、また、バーコード等の符号を認識しデコードすることにより情報を取得するマーキング認識を行う。画像処理部１０２は、また、画像データに対し、フィルタ処理、γ補正処理、階調処理等の各種画像処理を行う。画像処理部１０２は、また、画像データを画像出力部１０３へ送る。
【００２７】
画像処理部１０２は、例えば、図示しないＣＰＵ等がコンピュータプログラムを実行することにより実現される構成でもよく、また例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等によって実現される構成でもよい。
【００２８】
画像出力部１０３は、例えば、プロッタ、ファクシミリ装置等であり、画像データを媒体に形成し、又は、画像データを送信等することにより画像処理装置１００の外部に出力する。
【００２９】
制御部１０５は、画像処理部１０２が実行する画像処理の条件の設定を行う。画像処理の条件は、例えば、マーキング認識、フィルタ処理、γ変換処理、階調処理等に用いられるパラメータである。
【００３０】
（本実施形態に係る画像処理装置を有する画像形成装置の例）
図３は、本実施形態に係る画像処理装置を有する画像形成装置の構成を説明するブロック図である。図３の画像形成装置２００は、表面スキャナ部２０１、裏面スキャナ部２０２、プリンタ部２１４、画像処理部２１５、及び、画像蓄積部２１６を有し、これらの各部が、システムバス２０９を介して、ＣＰＵ２１０、ＲＯＭ２１１、ＲＡＭ２１２、操作部２１３に接続されている。
【００３１】
表面スキャナ部２０１及び裏面スキャナ部２０２は、媒体の表面及び裏面に形成された画像を読み取って画像データを生成する。画像処理部２１５は、画像データに対し、各種の画像処理を行う。プリンタ部２１４は、画像処理が行われた画像データを媒体上に形成して出力する。画像蓄積部２１６は、画像データを格納する。
【００３２】
画像処理部２１５は、マーキング認識２０３、ＭＴＦフィルタ処理２０５、γ変換処理２０６、及び、階調処理２０８の各モジュールを有する。マーキング認識２０３は、媒体の裏面に形成された画像を読み取ってその画像に含まれている画像処理の条件の情報を取得する。ＭＴＦフィルタ処理２０５、γ変換処理２０６、及び、階調処理２０８は、それぞれ、媒体の表面に形成されていた画像の画像データに対して、ＭＴＦフィルタ処理、γ変換処理、及び、階調処理を行う。
【００３３】
ＣＰＵ２１０は、画像処理の条件であるパラメータを設定する。ＣＰＵ２１０が設定するパラメータは、ＭＴＦフィルタ処理２０５、γ変換処理２０６、及び、階調処理２０８によって行われる画像処理に対応する。
【００３４】
図３における画像データの流れについて、説明する。表面スキャナ部２０１、裏面スキャナ部２０２で読み取られた画像データは、画像蓄積２０４に蓄積される。画像蓄積２０４から読み出された画像データは、ＭＴＦフィルタ処理２０５、γ変換処理２０６、階調処理２０８により画像処理が行われプリンタ部２１４により出力される。
【００３５】
裏面スキャナ部２０２で読み取られた画像データは、マーキング認識２０３にも入力される。マーキング認識２０３は、媒体上に形成されている特定のマーキング情報を認識する。特定のマーキング情報とは、例えば、バーコード等の符号、又は、文字、記号等である。マーキング情報には、画像処理の条件の情報が含まれている。マーキング情報が認識されることにより取得された画像処理の条件の情報は、ＣＰＵ２１０により読み出され、画像処理のパラメータの設定が行われる。
【００３６】
なお、図２と図３との対応はそれぞれ以下のようになっている。画像入力部１０１に表面スキャナ部２０１、裏面スキャナ部２０２が対応している。画像処理部１０２にマーキング認識２０３、ＭＴＦフィルタ処理２０５、γ変換処理２０６、階調処理２０８が対応している。画像出力部１０３にプリンタ部２１４が対応している。画像蓄積部１０４に画像蓄積２０４が対応している。制御部１０５にシステムバス２０９、ＣＰＵ２１０、ＲＯＭ２１１、ＲＡＭ１２１が対応している。
【００３７】
（本実施形態の画像処理方法の例・マーキング情報を有しない媒体に全体設定を適用する例）
図４から図９は、本実施形態に係る画像処理方法を説明するフロー図である。図４は、媒体毎に形成されているマーキング情報を認識して読み取ることにより取得された画像処理の条件の情報により、媒体毎に形成されている画像の画像データに対する画像処理が行われる。より詳細には、複数の原稿を連続読み取りする動作において、画像処理部２１５に対して設定される読み取り原稿に対応する画像データ毎の画像処理のパラメータの内容を、全体設定による指定と個別設定による指定で行うものである。なお、全体設定とは、画像処理のパラメータとして初期値を適用する設定であり、個別設定とは、媒体の裏面に形成されているマーキング情報を読み取ることにより取得された画像処理のパラメータを適用する設定である。
【００３８】
図４のステップＳ３０１では、表面スキャナ部２０１により原稿の表面の画像が読み取られ、さらに、裏面スキャナ部２０２により原稿の裏面にあるマーキング情報の画像が読み取られる。読み取られた画像の画像データは、画像蓄積部２１６に格納される。
【００３９】
ステップＳ３０１に続いてステップＳ３０２に進み、マーキング認識２０３が、原稿の裏面から読み取られたマーキング情報に含まれる情報を、認識により取得する。ステップＳ３０２に続いてステップＳ３０３に進み、原稿の裏面からマーキング情報が取得され画像処理の条件が取得された場合には、ステップＳ３０４に進み、画像処理の条件が取得されない場合には、ステップＳ３０５に進む。
【００４０】
ステップＳ３０３に続くステップＳ３０４では、ステップＳ３０２で取得されたマーキング情報に基づく画像処理の条件を、画像処理部２１５が有する各モジュールに対して設定する。一方ステップＳ３０３に続くステップＳ３０５では、初期値として予め保持されている画像処理の条件を、画像処理部２１５が有する各モジュールに対して設定する。
【００４１】
ステップＳ３０４又はステップＳ３０５に続いてステップＳ３０６に進み、画像処理部２１５が、画像蓄積部２１６に格納されている原稿の表面の画像データを読み出し、ステップＳ３０４又はステップＳ３０５で設定された条件により画像処理を行う。
【００４２】
ステップＳ３０６に続いてステップＳ３０７に進み、全ての原稿に対する処理が終了したか否かの判断がなされる。全ての原稿に対する処理が終了している場合には、処理を終了し、未処理の原稿がある場合には、ステップＳ３０１に戻って処理を繰り返す。
【００４３】
（画像処理の設定の例）
図５から図７は、画像処理に対して設定される条件の例を説明する図である。図５から図７では、条件を設定する操作画面を基にして説明する。図５は、全体設定の画像処理内容を選択する操作画面である。画質モードは文字／写真モード、カラーモードは白黒、濃度ノッチは３、自動濃度はＯＮが指定されている。
【００４４】
図６は、個別設定１の画像処理内容を選択する操作画面である。画質モードは写真モード、カラーモードはカラー、濃度ノッチは４、自動濃度はＯＦＦが指定されている。操作部画面の右上に符号ａを付した矩形が、個別設定１の指定に対応するマーキング情報１である。原稿の裏面から読み取られた画像データから、このマーキング情報１が認識され、個別設定１の画像処理内容を行う画像処理パラメータが設定される。
【００４５】
図７は、個別設定２の画像処理内容を選択する操作画面である。画質モードは文字モード、カラーモードは白黒、濃度ノッチは２、自動濃度はＯＮが指定されている。操作部画面の右上に符号ｂを付した矩形が、個別設定２の指定に対応するマーキング情報２である。原稿の裏面から読み取られた画像データから、このマーキング情報２が認識され個別設定２の画像処理内容を行う画像処理パラメータを設定される。
【００４６】
図４のフローにおいて、連続する３枚の原稿を読み取る場合の例について、より詳細に説明する。連続する３枚の原稿のうち、１枚目がマーキング情報なしの原稿、２枚目が原稿裏面にマーキング情報１がある原稿、３枚目が原稿裏面にマーキング情報２がある原稿である。なお、マーキング情報１とマーキング情報２とは、異なる画像処理の条件に対応している。
【００４７】
１枚目の原稿に対しては、マーキング情報が無いため、ステップＳ３０５において全体設定の画像処理のパラメータが設定され、その設定による画像処理が、ステップＳ３０６において行われる。２枚目の原稿に対しては、ステップＳ３０２においてマーキング情報１の認識が行われ、画像処理のパラメータが取得される。その後、ステップＳ３０４において、ステップＳ３０２で取得された画像処理のパラメータが設定され、その設定による画像処理が、ステップＳ３０６において行われる。
【００４８】
３枚目の原稿に対しては、ステップＳ３０２においてマーキング情報２の認識が行われ、画像処理のパラメータが取得される。その後、ステップＳ３０４において、ステップＳ３０２で取得された画像処理のパラメータが設定され、その設定による画像処理が、ステップＳ３０６において行われる。
【００４９】
（本実施形態の画像処理方法の例・マーキング情報を有しない媒体に既に取得されている設定を適用する例）
図８は、媒体毎に形成されているマーキング情報を認識して読み取ることにより取得された画像処理の条件の情報により、媒体毎に形成されている画像の画像データに対する画像処理が行われる処理の例であって、図４とは異なる処理の例を示すフロー図である。より詳細には、複数の原稿を連続読み取りする動作において、画像処理部２１５に対して設定される読み取り原稿に対応する画像データ毎の画像処理のパラメータの内容を、原稿の裏面からマーキング情報が認識される毎に指定するものである。すなわち、一の原稿の裏面からマーキング情報が認識された場合には、そのマーキング情報に基づく画像処理の条件が設定され、次に別の原稿からマーキング情報が認識されるまで、その条件による画像処理が行われる。
【００５０】
図８のステップＳ４０１では、表面スキャナ部２０１により原稿の表面の画像が読み取られ、さらに、裏面スキャナ部２０２により原稿の裏面にあるマーキング情報の画像が読み取られる。読み取られた画像の画像データは、画像蓄積部２１６に格納される。
【００５１】
ステップＳ４０１に続いてステップＳ４０２に進み、マーキング認識２０３が、原稿の裏面から読み取られたマーキング情報に含まれる情報を、認識により取得する。ステップＳ４０２に続いてステップＳ４０３に進み、原稿の裏面からマーキング情報が取得され画像処理の条件が取得された場合には、ステップＳ４０４に進み、画像処理の条件が取得されない場合には、ステップＳ４０５に進む。
【００５２】
ステップＳ４０３に続くステップＳ４０４では、ステップＳ４０２で取得されたマーキング情報に基づく画像処理の条件を、画像処理部２１５が有する各モジュールに対して設定する。ステップＳ４０３又はステップＳ４０４に続いてステップＳ４０５に進み、画像処理部２１５が、画像蓄積部２１６に格納されている原稿の表面の画像データを読み出し、ステップＳ４０５までに設定された条件により画像処理を行う。
【００５３】
ステップＳ４０５に続いてステップＳ４０６に進み、全ての原稿に対する処理が終了したか否かの判断がなされる。全ての原稿に対する処理が終了している場合には、処理を終了し、未処理の原稿がある場合には、ステップＳ４０１に戻って処理を繰り返す。
【００５４】
図８の処理を、連続する３枚の原稿を読み取る場合の例について、より詳細に説明する。連続する３枚の原稿のうち、１枚目が原稿裏面にマーキング情報１がある原稿、２枚目がマーキング情報がない原稿、３枚目が原稿裏面にマーキング情報２がある原稿である。なお、マーキング情報１とマーキング情報２とは、異なる画像処理の条件に対応している。
【００５５】
１枚目の原稿は、ステップＳ４０２においてマーキング情報１の認識が行われ、画像処理のパラメータが取得される。その後、ステップＳ４０４において、ステップＳ４０２で取得されたパラメータが設定され、その設定による画像処理が、ステップＳ４０５において行われる。２枚目の原稿は、マーキング情報を有していないため、ステップＳ４０２におけるパラメータの取得が行われない。そこで、ステップＳ４０４のパラメータ設定は行われず、１枚目の原稿の処理の際に設定されたパラメータにより、ステップＳ４０５における処理が行われる。
【００５６】
３枚目の原稿に対しては、ステップＳ４０２においてマーキング情報２の認識が行われ、画像処理のパラメータが取得される。その後、ステップＳ４０４において、ステップＳ４０２で取得された画像処理のパラメータが設定され、その設定による画像処理が、ステップＳ４０５において行われる。
【００５７】
（本実施形態の画像処理方法の例・マーキング情報に適用されるページ数の情報が含まれている例）
図９は、マーキング情報から取得される画像処理の条件に、その条件を適用するページ数の情報が含まれている場合の処理を示すフロー図である。図９のステップＳ５０１では、表面スキャナ部２０１により原稿の表面の画像が読み取られ、さらに、裏面スキャナ部２０２により原稿の裏面にあるマーキング情報の画像が読み取られる。読み取られた画像の画像データは、画像蓄積部２１６に格納される。
【００５８】
ステップＳ５０１に続いてステップＳ５０２に進み、既に設定されている画像処理の条件に基づいて、その条件が適用される原稿のページが全て読み取られたか否かの判断がなされる。読み取られている場合には、ステップＳ５０３に進み、読み取られていないページが含まれている場合には、ステップＳ５０６に進む。
【００５９】
ステップＳ５０２に続くステップＳ５０３では、原稿の裏面から読み取られたマーキング情報の画像が解析され、画像処理の条件が取得される。ステップＳ５０３に続いてステップＳ５０４に進み、ステップＳ５０３で取得された画像処理の条件が、画像処理部２１５が有する各モジュールに対して設定される。
【００６０】
ステップＳ５０４に続いてステップＳ５０５に進み、ステップＳ５０２で取得された画像処理の条件の中に含まれているページ数を、ステップＳ５０４で設定された画像処理の条件が適用されるページ数として設定する。例えば、ページ数が５であった場合には、値５が設定される。
【００６１】
ステップＳ５０５又はステップＳ５０２に続くステップＳ５０６では、ステップＳ５０１で読み込まれた表面の画像データに対し、ステップＳ５０４で設定された画像処理の条件による画像処理が行われる。
【００６２】
ステップＳ５０６に続いてステップＳ５０７に進み、全ての原稿の読み取り処理が終了しているか否かの判断がなされる。全ての原稿の読み取り処理が終了している場合には、処理を終了し、未だ読み込まれていない原稿がある場合には、ステップＳ５０１に戻って処理を繰り返す。
【００６３】
（マーキング情報の画像の例）
図１０から図１２は、マーキング情報の画像の例を説明する図である。
【００６４】
図１０（ａ）及び図１０（ｂ）は、原稿の裏面に符号として形成されている例を示す図である。図１０（ａ）における符号ａを付した矩形、及び、図１０（ｂ）における符号ｂを付した矩形が、マーキング情報である。これらの矩形は、図６及び図７において、同一の符号を付した矩形の画像のマーキング情報に対応している。
【００６５】
これらのマーキング情報の画像は、操作部２１３において、必要な設定を行うことにより生成される。図６及び図７に示された操作部において、画像処理の設定を行い、その情報をマーキング情報として印刷することにより、原稿の裏面にマーキング情報の画像が形成される。図１０に示すマーキング情報には、例えば、画質モード、カラーモード、濃度ノッチ、自動濃度指定の情報が含まれる。
【００６６】
図１１は、マーキング情報の画像が形成された原稿の例であって、図１０とは異なる符号の形態を有する場合の例である。図１１では、マーキング情報の画像は、バーコードの形態を有している。バーコードの形態を有するマーキング情報は、例えば、図１０に示すバーコードよりも簡易な形態のマーキング情報よりも、より多くの情報を含ませられる。
【００６７】
（マーキング情報の画像の例）
図１２は、バーコードの形態を有するマーキング情報が印刷出力された媒体を説明する図である。図１２では、２つの条件の組に対応したマーキング情報が、一の媒体に形成されている。それぞれのマーキング情報を、原稿の裏面に貼付して本実施形態の画像処理装置によって読み取らせることにより、そのマーキング情報に対応する画像処理が実行される。
【図面の簡単な説明】
【００６８】
【図１】本実施形態の画像処理装置の機能構成を説明する図である。
【図２】本実施形態に係る画像処理装置のブロック図である。
【図３】本実施形態に係る画像処理装置を有する画像形成装置の構成を説明するブロック図である。
【図４】媒体毎に形成されているマーキング情報に基づいて画像処理が行われる例（その１）を示すフロー図である。
【図５】全体設定の画像処理内容を選択する操作画面である。
【図６】個別設定１の画像処理内容を選択する操作画面である。
【図７】個別設定２の画像処理内容を選択する操作画面である。
【図８】媒体毎に形成されているマーキング情報に基づいて画像処理が行われる例（その２）を示すフロー図である。
【図９】条件を適用するページ数の情報が含まれている場合の処理を示すフロー図である。
【図１０】マーキング情報が、原稿の裏面に符号として形成されている例を示す図である。
【図１１】マーキング情報が、原稿の裏面にバーコードの形態を有して形成されている例を示す図である。
【図１２】バーコードの形態を有するマーキング情報が印刷出力された媒体を説明する図である。
【符号の説明】
【００６９】
１０  搬送手段
２１  読取手段
２２  読取手段
３０  情報取得手段
４１  情報保持手段
４２  初期値保持手段
５０  画像処理手段
１００  画像処理装置
１０１  画像入力部
１０２  画像処理部
１０３  画像出力部
１０４  画像蓄積部
１０５  制御部
１０６  操作部
２００  画像形成装置
２０１  表面スキャナ部
２０２  裏面スキャナ部
２０３  マーキング認識
２０４  画像蓄積
２０５  フィルタ処理
２０６  γ変換処理
２０８  階調処理
２０９  システムバス
２１３  操作部
２１４  プリンタ部
２１５  画像処理部
２１６  画像蓄積部
【図１】
2009278233.tif 000003
【図２】
2009278233.tif 000004
【図３】
2009278233.tif 000005
【図４】
2009278233.tif 000006
【図５】
2009278233.tif 000007
【図６】
2009278233.tif 000008
【図７】
2009278233.tif 000009
【図８】
2009278233.tif 000010
【図９】
2009278233.tif 000011
【図１０】
2009278233.tif 000012
【図１１】
2009278233.tif 000013
【図１２】
2009278233.tif 000014